(57)【要約】【課題】車外から取り込んだ外気を運転席へ送気するエアボックスにおいて、エアボックス内に浸入した水を排水路へ流下させつつ、騒音が排水路を経由してエアボックスに伝達するのを防止する。【解決手段】エアボックス７には水抜き孔３を設け、カウルトップパネル１上の水が排水路１２へ流下可能とする。水抜き孔３には、カウルトップパネル１よりも低い位置にトラップ４を設け、トラップ４はエアボックス７側から排水路１２側への一方向のみへ流れる構造とする。トラップ４は常態で貯水している貯水部４ｒと隔壁４ｄを具え、エアボックス７と排水路１２側の外気を遮断している。このため、エンジン音などの床下騒音が水抜き孔３を経由してエアボックス７に伝達するのを防ぐことができる。一方、エアボックス７からトラップ４に水が流入し、貯水部４ｒの貯水量がオーバーフローすると、水が排水路１２へ流下する。【選択図】        図１
2004359163.tif 000002
【特許請求の範囲】
【請求項１】
運転席へ外気を供給するエアボックス内に浸入する水を排水するために、前記エアボックスに水抜き孔を設け、該水抜き孔が排水路と連通するエアボックスの排水構造において、
前記排水路には前記エアボックスと前記排水路側の外気を遮断する貯水部を設け、該貯水部は貯水量が一定値を超える場合には前記排水路へ流下する構造を有したことを特徴とするエアボックスの排水構造。
【請求項２】
請求項１に記載のエアボックスの排水構造において、前記貯水部がトラップを具えたことを特徴とするエアボックスの排水構造。
【請求項３】
請求項１に記載のエアボックスの排水構造において、前記貯水部が所定の水圧で開弁するバルブを具えたことを特徴とするエアボックスの排水構造。
【請求項４】
請求項１に記載のエアボックスの排水構造において、前記貯水部がフロートの浮力を利用して開弁するバルブを具えたことを特徴とするエアボックスの排水構造。
【発明の詳細な説明】
【０００１】
【発明の属する技術分野】
本発明は、自動車のエアボックスの排水路を経由して車体床下からエアボックスへ伝達する騒音を遮断する技術に関するものである。
【０００２】
【従来の技術】
一般に、車両のフロントガラス下部には空調用の外気取り入れ口を設け、ここから取り入れられた空気はエアボックスを経由した後、運転席へ送られるが、エアボックスへ浸入する雨水がエアボックス内に滞留することを防止するために、エアボックスに設けた排水路の構造としては従来、例えば特許文献１に記載のごときものが知られている。
【０００３】
【特許文献１】
特開２０００−３１３３５５号公報
【０００４】
特許文献１に記載のカウルトップパネル取付構造は、エアボックスの床面を構成し車幅方向に延在するカウルトップパネルの両端部に水抜き孔を設けてストラットタワー上面に水を流下させ、カウルトップサイド部材にも水抜き孔を設けてさらに水を車体両側閉断面部へ流しカウルトップ上の水を排水することができるようにしたものである。
【０００５】
【発明が解決しようとする課題】
しかし、上記従来のようなカウルトップパネル取付構造にあっては、水抜き孔の位置を工夫することにより排水性を損なうことなくカウルトップ部材の強度を確保することができるが、以下に説明するような問題を生ずる。つまりエンジンや床下からの騒音が排水路を経由してエアボックスに到達し、運転席の静粛性を損なうという問題があった。
【０００６】
本発明は、エンジンや床下からの騒音が排水路を経由してエアボックスに到達するのを防ぐことができる、エアボックスの排水構造を提案するものである。
【０００７】
【課題を解決するための手段】
この目的のため本発明によるエアボックスの排水構造は、請求項１に記載のごとく、
運転席へ外気を供給するエアボックス内に浸入する水を排水するために、前記エアボックスに水抜き孔を設け、該水抜き孔が排水路と連通するエアボックスの排水構造において、
前記排水路には前記エアボックスと前記排水路側の外気を遮断する貯水部を設け、該貯水部は貯水量が一定値を超える場合には前記排水路へ流下する構造を有したことを特徴としたものである。
【０００８】
【発明の効果】
かかる本発明の構成によれば、エアボックスの排水路に開閉可能なバルブを設け、エアボックス内の水が流下することを許容しつつ、水が排水路を閉塞しているため、エンジンや床下からの騒音が排水路を経由してエアボックスに到達するのを防ぐことができる。
【０００９】
【発明の実施の形態】
以下、本発明の実施の形態を図面に基づき詳細に説明する。
図１は本発明の一実施の形態になるエアボックスの排水構造を車幅方向に切断して模式的に示す横断面図である。図示せざる運転席へ空調用外気を送るエアボックス７はカウルトップカバー１とカウルカバー１０の間に設けられる。図示せざる空調用外気取入口からエアボックス７に浸入する雨水を排出するために、車幅方向に延在するカウルトップパネル１の両側端とフードレッジレインフォース部材２の間には水抜き孔３をそれぞれ設ける。図１中にはそのうちの片側のみを示す。
【００１０】
水抜き孔３にはトラップ４を設け、流入側であるカウルトップパネル１側の側面４ｉを流出側であるフードレッジレインフォース部材２側の側面４ｏよりも高くし、流入側から流出側へ一方向に流れるようにする。トラップ４はカウルトップパネル１よりも低い位置にあり、カウルトップパネル１上の水は点線に示すようにトラップ４の貯水部４ｒに流入する。貯水部４ｒは常態で水を貯留しており、オーバーフローした水は側面４ｏを越流して点線に示すようにフードレッジレインフォース部材２下方に流下する。
【００１１】
貯水部４ｒ内の水および隔壁４ｄはエアボックス７とフードレッジレインフォース部材２側の外気１２を遮断している。したがって排水路から伝達する騒音は一点鎖線で示すようにトラップ４で遮断される。
【００１２】
図２は本発明の第２の実施形態になるエアボックスの排水構造を車幅方向に切断して模式的に示す横断面図である。本実施の形態においては、上記トラップ４の代わりに貯水部５を設け、貯水部５の底面にはワンウェイバルブ６を設置する。ワンウェイバルブ６は常態で閉弁し貯水部５には水が貯留しているため、エアボックス７とフードレッジレインフォース部材２側の外気は遮断される。貯水部５はカウルトップパネル１よりも低い位置にあり、カウルトップパネル１上の水は貯水部５に流入する。貯水部５に一定量以上の水が溜まると水圧でワンウェイバルブ６が下方に開弁し、貯水部５内の水が点線に示すようにフードレッジレインフォース部材２の下方へ流下する。
【００１３】
開弁中の排水によって水圧が低下するとワンウェイバルブ６が再び閉弁し、エアボックス７とフードレッジレインフォース部材２側の外気１２は元通り遮断される。
【００１４】
図３は本発明の第３の実施形態になるエアボックスの排水構造を車幅方向に切断して模式的に示す横断面図である。本実施の形態においては、上記ワンウェイバルブ６の代わりにフロート付きバルブ８を設置する。貯水部５内の水位が一定値以上に達するとフロート８ｆの浮力でバルブ８が開弁し、貯水部５内の水が点線に示すように流下する。
【００１５】
開弁中の排水によって水位が低下するとフロート付きバルブ８が再び閉弁し、エアボックス７とフードレッジレインフォース部材２側の外気１２は元通り遮断される。
【００１６】
次に本発明に係るエアボックスの排水構造を有する車両を想定して比較試験を行い、その結果をグラフに表示したものを図４に示す。当該試験においては図５に示す従来の排水路を具えた車両を用い、何ら手を加えない従来の場合と、貯水部４ｒあるいは５の代わりとして多孔質材料を用いて水抜き孔３を閉塞した場合について比較試験を行った。カウルトップパネル１の下方にある図示せざるエンジンの回転数を３０００ｒｐｍから４５００ｒｐｍまでの範囲で駆動させた場合における騒音レベルを、運転席で測定する。
【００１７】
図５中、何ら手を加えない従来の場合には、エアボックス７内の水が点線で示すように自由に水抜き孔３から流下すると共に、排水路下流側１２の騒音が一点鎖線で示すように水抜き孔３を経由してエアボックス７へ伝達する。一方、多孔質材料を用いて水抜き孔３を閉塞した場合、図４の結果から最大３ｄＢ程度の騒音低減効果が確認された。なお実際には貯水部４ｒまたは５をもって水抜き孔３を閉塞するため、貯水量の調整等により本発明による遮音効果は図４と同等かそれ以上となる。
【００１８】
ところで本実施の形態においては水を湛えた貯水部４ｒまたは５が水抜き孔３を閉塞するため、貯水部４ｒまたは５がエンジンや車体床下からの騒音を遮音し、該騒音が水抜き孔３を経由してエアボックス７へ伝達することを防止する。したがって、運転席の静粛性を向上することができる。
【図面の簡単な説明】
【図１】本発明の一実施の形態になるエアボックスの排水構造を車幅方向に切断して模式的に示す横断面図である。
【図２】本発明の第２の実施形態になるエアボックスの排水構造を車幅方向に切断して模式的に示す横断面図である。
【図３】本発明の第３の実施形態になるエアボックスの排水構造を車幅方向に切断して模式的に示す横断面図である。
【図４】同実施の形態になるエアボックスの排水構造の遮音効果について行った比較試験の結果を示すグラフである。
【図５】遮音性能ついて比較試験を行う際に用いた従来のエアボックスの排水構造を車幅方向に切断して模式的に示す横断面図である。
【符号の説明】
１  カウルトップパネル
２  フードレッジレインフォース部材
３  水抜き孔
４  トラップ
５  貯水部
６  ワンウェイバルブ
７  エアボックス
８  浮き袋付きバルブ
１０  カウルカバー
１１  フロントフェンダー
１２  排水路下流側（フードレッジレインフォース部材側の外気）
【図１】
2004359163.tif 000003
【図２】
2004359163.tif 000004
【図３】
2004359163.tif 000005
【図４】
2004359163.tif 000006
【図５】
2004359163.tif 000007